(57)【特許請求の範囲】
【請求項１】
駆動軸の一端に設けられたピニオンギヤと、該ピニオンギヤと連動するロードギヤを介して駆動するロードシーブと、ロードシーブに巻回される無負荷側チェーンをガイドする無負荷側ガイドローラを備えたチェーン巻上機において、駆動軸と同軸上に駆動軸と一体形成され、チェーンをロードシーブにガイドする無負荷側ガイドローラを設け、ロードシーブを挟んで反対側に負荷側ガイドローラを設けたことを特徴とするチェーン巻上機。
【発明の詳細な説明】
【０００１】
【発明の属する技術分野】
本発明は、チェーン巻上機に関するもので、巻上機本体を小型、軽量化でき、部品点数、加工・組立て工数を削減できるチェーン巻上機に関する。
【０００２】
【従来の技術】
従来よりロードシーブに巻回されるチェーンをガイドする負荷側及び無負荷側ガイドローラを備えたチェーン巻上機では、例えば図３に示すように、各ガイドローラはそれぞれ他の部品から独立してフレームに軸架されていた。
【０００３】
以下、ガイドローラをチェーンに外接したチェーン巻上機の従来例について、図３に基づいて説明する。
図において、２０はロードシーブ、２１はロードギヤ（図において省略）と噛合するピニオンギヤ、２２ａはチェーンに外接し、外側から荷などの負荷側チェーンをガイドする負荷側ガイドローラ、２２ｂは無負荷側ガイドローラ、２３はフレーム、２４はチェーンである。
【０００４】
ピニオンギヤ２１は駆動軸（図示せず）に固設され、駆動部材、ブレーキ板、ブレーキ受け及び多条ねじ等の公知の駆動手段により駆動される。ピニオンギヤ２１が駆動すると、これに噛合するロードギヤ（図示せず）を介して、ロードシーブ２０が回動し、チェーン２４の巻上げを行う。ロードシーブ２０によるチェーン２４の巻上げ動作時に、チェーン２４はロードシーブ２０からの離脱を防止するため、負荷側、無負荷側の一対のガイドローラ２２ａ、２２ｂによりガイドされる。
【０００５】
【発明が解決しようとする課題】
上記した従来例においては、ガイドローラはそれぞれ単独部品としてフレームに軸架されているため、巻上機本体を小型化する障害となっており、かつ重量も重くなり、さらにコストも高くなるという課題を有していた。
【０００６】
一方、この種の巻上機においても、取扱いの容易さから小型、軽量化が要請され、かつ低コスト化を図ることも大きな課題となっている。
本発明は、これらの課題を解決するもので、小型、軽量化及び低コスト化が可能なチェーン巻上機を提供することを目的とする。
【０００７】
【課題を解決するための手段】
本発明は、駆動軸の一端に設けられたピニオンギヤと、該ピニオンギヤと連動するロードギヤを介して駆動するロードシーブと、ロードシーブに巻回されるチェーンをガイドするガイドローラを設けたチェーン巻上機において、駆動軸の同軸上にガイドローラを備え、該ガイドローラをロードシーブに巻回されたチェーンに外接したことを特徴とするものである。
【０００８】
本発明によると、駆動軸と同軸上にガイドローラを設けたので、ガイドローラを単独部品としてフレームに軸架した従来のチェーン巻上機に較べて、部品点数を少くすることができ、巻上機本体を小型化し、軽量化できるとともに、組立て工数を削減し、低コストの巻上機を提供することができる。
【０００９】
【発明の実施の形態】
本発明の請求項１に記載の発明は、駆動軸の一端に設けられたピニオンギヤと、該ピニオンギヤと連動するロードギヤを介して駆動するロードシーブと、ロードシーブに巻回される無負荷側チェーンをガイドする無負荷側ガイドローラを備えたチェーン巻上機において、駆動軸と同軸上に駆動軸と一体形成され、チェーンをロードシーブにガイドする無負荷側ガイドローラを設け、ロードシーブを挟んで反対側に負荷側ガイドローラを設けたことを特徴とするもので、駆動軸と同軸上に無負荷側ガイドローラを設けたので、ガイドローラを単独部品としてフレームに軸架した従来のチェーン巻上機に較べて部品点数を少くすることができ、巻上機本体を小型化、軽量化できるとともに組立て工数を削減し、低コストの巻上機を提供することができる作用を有する。
【００１１】
図において、１ａ、１ｂはロードシーブ及び駆動軸等が軸承される内外一対の支持フレーム、２は駆動軸で、支持フレーム１ａ側には、ブレーキ受けが嵌合しており、ブレーキ受けに続いて一対のブレーキ板によって挾まれた爪車が外装され、さらに多条ねじに駆動部材であるメネジが螺着され、他側には、支持フレーム１ａ、１ｂ間に軸承されたガイドローラとピニオンギヤを備えている。２ａは駆動軸２の端部に設けられ、外側支持フレーム１ｂに軸承されたピニオンギヤ、３ａはピニオンギヤ２と一体に形成され、支持フレーム１ａ、１ｂ間に軸承され、無負荷チェーンをガイドする無負荷側ガイドローラ、３ｂは支持フレーム１ａ、１ｂ間に軸承され、負荷チェーンをガイドする負荷側ガイドローラ、４は駆動軸２に軸方向移動を許容し、相対回転不能に嵌合されたブレーキ受け、５は駆動軸２に軸承された爪車、５ａは爪車５の外周に形成された係止歯、５ｂは係止歯５ａと係合し、爪車５の回転を一方向に規制する爪、６は爪車５を左右から挾んで駆動軸２に軸承されたブレーキ板、７は駆動軸段部とメネジ間８に装着された遊転バネ、８は駆動軸２に設けた多条ねじに螺着された駆動部材であるメネジ、９は多条ねじ、１０は駆動軸２の端部に螺着されたメネジストッパ、１１はピニオンギヤ２ａと噛合するロードギヤ、１２はロードギヤ１１と同軸で、支持フレーム１ａ、１ｂ間に軸承されたロードシーブ、１３はロードシーブに巻装されたチェーン、１４はブレーキカバー、１５はギヤカバー、１６はレバーハンドル、１７はギヤカバー、１８は荷を吊り下げるフックである。
【００１２】
支持フレーム１ａ、１ｂを中心として、駆動軸２の一方には、ブレーキ受け４が駆動軸２に対して、相対回転不能に嵌合され、駆動軸２の軸受段部に当接している。ブレーキ受け４の手前には、両側を一対のブレーキ板６によって挾まれた逆転防止用爪車５が駆動軸２に軸承され、逆転防止用爪車５の外周部に形成された係止歯５ａに、支持フレーム１ａに枢着され、係止歯５ａに向かって付勢された５ｂが係合し、逆転防止用爪車５を捲き上げ方向のみに回転するように構成されている。メネジ８は、駆動軸２に設けた多条ねじ９に螺着しており、その外周面に嵌合したレバーハンドル１６により回動される。
【００１３】
また、駆動軸２の他側で、支持フレーム１ａ、１ｂ間には、駆動軸２と一体形成された無負荷側ガイドローラ３ａが軸承され、ピニオンギヤ２ａは支持フレーム１ｂの外側に突設している。
【００１４】
ピニオンギヤ２ａは、支持フレーム１ｂの外側で、ロードシーブ１２のボス部に固設されたロードギヤ１１と噛合している。なお、負荷側ガイドローラ３ｂは、無負荷側ガイドローラ３ａとロードシーブ１２を挾んで反対側で、支持フレーム１ａ、１ｂに軸承され、負荷側チェーン１３をガイドする。
【００１５】
本実施の形態における操作について説明する。
駆動部材であるメネジ８に嵌合されたレバーハンドル１６を往復回動すると、多条ねじ９の送り作用により、メネジ８を遊転バネ７に抗してブレーキ板６方向に移動させ、ブレーキ受け４を駆動軸２の軸受段部に押圧する。ブレーキ受け４は駆動軸２の軸受段部により、軸方向の移動が防げられているため、メネジ８は多条ねじ９の締め込み作用により、ブレーキ板６、爪車５、ブレーキ受け４、駆動軸２と一体的に回動する。
【００１６】
無負荷側ガイドローラ３ａ及びピニオンギヤ２ａは駆動軸２とともに回転し、ロードギヤ１１を介して、ロードシーブ１２を回動し、ロードシーブ１２に巻回するチェーン１３により捲上げまたは牽引を行う。図２に示すように、ロードシーブ１２により巻回されるチェーン１３には、無負荷側及び負荷側ガイドローラ３ａ、３ｂが外接して、チェーンをロードシーブ１２にガイドする。
【００１７】
以上詳記した通り、本発明のチェーン巻上機は、ロードシーブ１２に巻回されるチェーン１３をガイドする負荷側及び無負荷側ガイドローラ３ａ、３ｂを備えたチェーン巻上機において、無負荷側ガイドローラ３ａと駆動軸２とを同軸上に設けた構成としたので、部品点数及び製造工数を少くすることができ、小型・軽量で低コストのチェーン巻上機を提供することができる。
【００１８】
なお、無負荷側ガイドローラを駆動軸と一体形成した例として説明したが、無負荷側ガイドローラを駆動軸上で回転自在に軸承してもよいし、また負荷側ガイドローラに上記構成を適用してもよい。また、無負荷側ガイドローラ３ａと駆動軸２を一体形成した場合、無負荷側ガイドローラ３ａはピニオン２ａと一体的に回動するが、ガイドローラ３には負荷が加らず摩擦力が生じないため、ピニオン２ａと一体的に回動しても、ガイドローラ３ａは摩擦等の影響を受けないので、無負荷側ガイドローラ３ａを駆動軸２と一体形成した方が好ましい。
【００１９】
【発明の効果】
本発明によると、駆動軸と同軸上に無負荷側ガイドローラを設け、駆動軸の一部をガイドローラとしたので、ガイドローラを単独部品としてフレーム軸架した従来のチェーン巻上機に較べて、部品点数を少くすることができ、巻上機本体を小型化、軽量化できるとともに、低コストの巻上機を提供することができる。
【図面の簡単な説明】
【図１】  本発明のチェーン巻上機の断面図である。
【図２】  正面図である。
【図３】  従来のチェーン巻上機の概要図である。
【符号の説明】
１ａ、１ｂ  支持フレーム
２  駆動軸
２ａ  ピニオンギヤ
３ａ、３ｂガイドローラ
４  ブレーキ受け
５  爪車
５ａ  係止歯
５ｂ  爪
６  ブレーキ板
７  遊転バネ
８  メネジ
９  多条ねじ
１０  メネジストッパ
１１  ロードギヤ
１２  ロードシーブ
１３  チェーン
１４  ブレーキカバー
１５  ギヤカバー
１６  レバーハンドル
１７  ギヤカバー
【図１】
0004049556.tif 000002
【図２】
0004049556.tif 000003
【図３】
0004049556.tif 000004